(57)【要約】【課題】安全性および環境適応性に優れるとともに、ピッチ、ワックス等に対して優れた洗浄性能を発揮し得る水系洗浄剤組成物を提供すること。【解決手段】（Ａ）炭素数８〜１８のオレフィン系炭化水素を３０〜７０質量％、（Ｂ）ポリアルキレングリコールジアルキルエーテルを５〜２０質量％、（Ｃ）スルホコハク酸型界面活性剤を２〜２０質量％、および（Ｄ）水を含有する水系洗浄剤組成物。【選択図】  なし【特許請求の範囲】
【請求項１】
（Ａ）炭素数８〜１８のオレフィン系炭化水素を３０〜７０質量％、（Ｂ）ポリアルキレングリコールジアルキルエーテルを５〜２０質量％、（Ｃ）スルホコハク酸型界面活性剤を２〜２０質量％、および（Ｄ）水を含有することを特徴とする水系洗浄剤組成物。
【請求項２】
さらに、（Ｅ）炭素数６〜１１の脂肪族アルコールのエチレンオキシド付加体を２〜２０質量％含有することを特徴とする請求項１記載の水系洗浄剤組成物。
【発明の詳細な説明】
【０００１】
【発明の属する技術分野】
本発明は、水系洗浄剤組成物に関し、さらに詳述すると、例えば、レンズやプリズム等の光学部品などに付着したピッチやワックス類の洗浄に有効な水系洗浄剤組成物に関する。
【０００２】
【従来の技術】
レンズやプリズム等の光学部品は、その製造工程において、ピッチ、ワックスまたはこれらの混合物で治具に固定され、切断や研磨等が行われる。また、輸送等の際に部品表面を保護する目的で、光学部品表面にピッチ、ワックスまたはこれらの混合物が塗布されることが多い。
このため、これらの光学部品が装着された製品を製造する際には、予め付着しているピッチやワックス等を除去する必要がある。
【０００３】
従来、これらを洗浄、除去するための洗浄剤として、１，１，１−トリクロロエタン、トリクロロエチレン、塩化メチレン、ブロモプロパン等のハロゲン系溶剤が使用されてきた。
しかしながら、これらの溶剤は、環境に対する負荷が大きいのみならず、人体に対しても悪影響を与える可能性が高いため、できる限り使用を避けることが求められていることから、近年、これらのハロゲン系溶剤に代替し得る洗浄剤が開発され始めている。
【０００４】
例えば、特許文献１には、ピッチ用の洗浄剤として、プロピレングリコールアセテート、エチレングリコールアルキルエーテルアセテート等のグリコールエステル類を使用し得ることが報告されている。
また、特許文献２には、ポリアルキレングリコールジエーテル、ポリアルキレングリコールエーテルエステル、アルケン類、芳香族類等をピッチ用洗浄剤として使用できることが報告されている。
【０００５】
しかしながら、これらの洗浄剤は、洗浄力が不充分であったり、不快な臭気を伴ったりする場合があり、より洗浄力に優れるとともに、臭気の少ない溶剤の開発が求められている。
【０００６】
【特許文献１】
特開平６−３３６５９８号公報
【特許文献２】
特開平１１−３２３３８２号公報
【０００７】
【発明が解決しようとする課題】
本発明は、このような事情に鑑みてなされたものであり、安全性および環境適応性に優れるとともに、ピッチ、ワックス等に対して優れた洗浄性能を発揮し得る水系洗浄剤組成物を提供することを目的とする。
【０００８】
【課題を解決するための手段および発明の実施の形態】
本発明者らは、上記目的を達成するために鋭意検討を行った結果、（Ａ）炭素数８〜１８のオレフィン系炭化水素を３０〜７０質量％、（Ｂ）ポリアルキレングリコールジアルキルエーテルを５〜２０質量％、（Ｃ）スルホコハク酸型界面活性剤を２〜２０質量％、および（Ｄ）水を含有する洗浄剤組成物が、臭気が少なく安全性および環境適応性に優れていること、およびピッチ、ワックス等に対する高い洗浄能力を有していることを見いだし、本発明を完成した。
【０００９】
すなわち、本発明は、
１．  （Ａ）炭素数８〜１８のオレフィン系炭化水素を３０〜７０質量％、（Ｂ）ポリアルキレングリコールジアルキルエーテルを５〜２０質量％、（Ｃ）スルホコハク酸型界面活性剤を２〜２０質量％、および（Ｄ）水を含有することを特徴とする水系洗浄剤組成物、
２．  さらに、（Ｅ）炭素数６〜１１の脂肪族アルコールのエチレンオキシド付加体を２〜２０質量％含有することを特徴とする１の水系洗浄剤組成物
を提供する。
【００１０】
以下、本発明についてさらに詳しく説明する。
本発明に係る水系洗浄剤組成物は、（Ａ）炭素数８〜１８のオレフィン系炭化水素を３０〜７０質量％、（Ｂ）ポリアルキレングリコールジアルキルエーテルを５〜２０質量％、（Ｃ）スルホコハク酸型界面活性剤を２〜２０質量％、および（Ｄ）水を含有するものである。
【００１１】
本発明において、（Ａ）オレフィン系炭化水素の炭素数が８未満では、臭気が高く、また低引火性および洗浄性能の点で不十分となる可能性が高い。特に、臭気を低くするという点からは、オレフィン系炭化水素の炭素数は１０以上であることが好ましい。一方、炭素数が１８を超えると、ピッチ等に対する洗浄性能が大幅に低下する可能性が高い。より洗浄性能を高めるということを考慮すると、オレフィン系炭化水素の炭素数は１６以下であることが好ましい。
上記炭素数８〜１８のオレフィン系炭化水素としては、例えば、オクテン、デセン、ドデセン、テトラデセン、ヘキサデセン、オクタデセン等が挙げられ、これらは１種単独でまたは２種以上を組み合わせて用いることができる。
【００１２】
（Ａ）オレフィン系炭化水素の含有量は、組成物全量に対して３０〜７０質量％である。ここで、（Ａ）成分の含有量が、３０質量％未満では、洗浄性能が発揮されない可能性が高く、７０質量％を超えると、組成物の液安定性が著しく低下する可能性が高い。これらの洗浄性能や、液安定性を考慮すると、（Ａ）成分の含有量は、４０〜７０質量％、特に５０〜７０質量％であることが好ましい。
【００１３】
上記（Ｂ）ポリアルキレングリコールジアルキルエーテルとしては、炭素数１〜６、好ましくは炭素数１〜４の低級アルコールに炭素数２〜３のアルキレンオキシドを数モル、好ましくは、１〜３モル程度付加させ、さらに炭素数１〜６、好ましくは炭素数１〜４の低級アルコールで末端アルキルエーテル化したものを用いることが好ましい。
【００１４】
この（Ｂ）成分の具体例としては、エチレングリコールジメチルエーテル、ジエチレングリコールジメチルエーテル、トリエチレングリコールジメチルエーテル、プロピレングリコールジメチルエーテル、ジプロピレングリコールジメチルエーテル、トリプロピレングリコールジメチルエーテル、エチレングリコールジエチルエーテル、ジエチレングリコールジエチルエーテル、プロピレングリコールジエチルエーテル、ジプロピレングリコールジエチルエーテル、エチレングリコールジブチルエーテル、ジエチレングリコールジブチルエーテル、トリエチレングリコールジブチルエーテル、プロピレングリコールジブチルエーテル、ジプロピレングリコールジブチルエーテル、エチレングリコールジヘキシルエーテル、ジエチレングリコールジヘキシルエーテル、プロピレングリコールジヘキシルエーテル、ジプロピレングリコールジヘキシルエーテル等が挙げられ、これらは１種単独でまたは２種以上を組み合わせて用いることができる。
【００１５】
（Ｂ）ポリアルキレングリコールジアルキルエーテルの含有量は、組成物全量に対して５〜２０質量％である。ここで、（Ｂ）成分の含有量が、５質量％未満であると、ピッチに対する洗浄性能が発揮されない可能性が高い。一方、２０質量％を超えると、組成物の液安定性が低下する可能性が高くなるとともに、この（Ｂ）成分の化合物は単価が高いことから経済的にも不利となる。これらの洗浄性能、液安定性および経済性を考慮すると、（Ｂ）成分の含有量は、５〜１５質量％、特に１０〜１５質量％であることが好ましい。
【００１６】
上記（Ｃ）スルホコハク酸型界面活性剤としては、炭素数４〜２０のアルキル基を持つものが好ましい。ここで、スルホコハク酸型界面活性剤の炭素数が４未満であると、十分な浸透力、表面張力低下能が得られない虞があり、一方、２０を超えると、上記（Ａ）成分および（Ｂ）成分との相溶性が極端に低下して液安定性が低下する虞がある。このため、炭素数５〜１５、特に６〜１０のアルキル基を持つスルホコハク酸型界面活性剤を用いることがより好ましい。
【００１７】
この（Ｃ）成分の具体例としては、ジヘキシルスルホコハク酸塩、ジオクチルスルホコハク酸塩、ジ−２−エチルヘキシルスルホコハク酸塩、ジデシルスルホコハク酸塩等が挙げられ、これらは１種単独でまたは２種以上組み合わせて用いることができる。また、この場合、塩としては、特に限定されるものではなく、有機、無機の種々の塩を用いることができるが、特に、アルカリ金属塩、アミン塩を用いることが好ましい。
【００１８】
（Ｃ）スルホコハク酸型界面活性剤の含有量は、組成物全量に対して２〜２０質量％である。ここで、（Ｃ）成分の含有量が、２質量％未満であると、組成物の均一性、透明性が低下する可能性が高い。一方、２０質量％を超えると、組成物の粘度が著しく高くなり、ピッチやワックス等への洗浄剤組成物の浸透性を阻害して洗浄力が低下する可能性が高い。このため、（Ｃ）成分の含有量は、２〜１５質量％、特に５〜１０質量％であることが好ましい。
【００１９】
上記（Ｄ）水は、組成物の引火性を低減させるために配合するものであり、その含有量は、上記（Ａ）〜（Ｃ）成分および後に詳述する（Ｅ）成分の含有量等により適宜選定されるものであるが、組成物全量に対して５〜５０質量％であることが好ましく、５〜３０質量％であることがより好ましい。
【００２０】
以上で説明した（Ａ）〜（Ｄ）成分を含んで構成される水系洗浄剤組成物は、レンズやプリズム等の光学部品などに付着したピッチ、ワックス等に対して優れた洗浄性能を発揮するため、これらの汚れが付着した光学部品等の洗浄に好適に使用されるものであるが、さらに、この水系洗浄剤組成物に、（Ｅ）炭素数６〜１１の脂肪族アルコールのエチレンオキシド付加体を２〜２０質量％配合することが好ましく、この（Ｅ）成分を配合することで、組成物の液安定性をより一層向上させることができる。また、この（Ｅ）成分は、ＰＲＴＲ法（化学物質管理促進法）の規制に触れないため、その届出が不要であるという利点もある。
【００２１】
ここで、（Ｅ）成分の含有量が２質量％未満であると、（Ｅ）成分を添加して得られる組成物の液安定性向上効果が不充分となる虞があり、一方、２０質量％を超えると、組成物の液安定性は向上するものの、洗浄性能の低下を招く虞がある。この液安定性と洗浄性とのバランスを考慮すると、（Ｅ）成分の含有量は、２〜１５質量％、特に５〜１５質量％であることがより好ましい。
【００２２】
この（Ｅ）成分におけるエチレンオキシドの付加モル数は、特に限定されるものではないが、１〜５モル、特に２〜４モルであることが好ましい。
（Ｅ）成分の具体例としては、ジエチレングリコールモノヘキシルエーテル、ジエチレングリコールモノ２−エチルヘキシルエーテル、ウンデカノールの４モルエチレンオキシド付加体等が挙げられ、これらは１種単独でまたは２種以上を組み合わせて用いることができる。
以上で説明した本発明の洗浄剤組成物の製造法としては、特に限定されるものではなく、常法に従って各成分を配合して調製すればよい。この場合、各成分の配合順序は任意でよいが、水以外の成分を充分に混合した後、水を少量ずつ添加しながら均一な洗浄剤組成物となるように調製することが好ましい。
【００２３】
なお、本発明の洗浄剤組成物には、上記（Ａ）〜（Ｅ）の各成分に加え、通常の洗浄剤に用いられるその他の成分、例えば、陰イオン界面活性剤，非イオン性界面活性剤，両性界面活性剤等の界面活性剤、エタノール，ブチルジグリコール，ヘキシルグリコール等の各種アルコール類、クエン酸，酒石酸，フタル酸等の有機酸、トリエタノールアミン，ジエタノールアミン等のアルカノールアミン、その他の防錆剤、防腐剤、消泡剤、酸化防止剤などを本発明の効果を妨げない範囲で適宜配合することができる。
【００２４】
【実施例】
以下、実施例および比較例を挙げて、本発明をより具体的に説明するが、本発明は、下記の実施例に限定されるものではない。
【００２５】
［実施例１〜８、比較例１〜４］
下記表１および表２に示す組成で各成分を混合、攪拌して各実施例および比較例の洗浄剤組成物を調製した。
このようにして得られた各洗浄剤組成物を用い、その液安定性、および２種類の対象汚垢（アスファルトピッチ、天然樹脂含有ワックス）について、汚れ物質の除去性（洗浄性）を評価した。評価結果を表３に示す。
【００２６】
【表１】
2004189821.tif 000002
【００２７】
【表２】
2004189821.tif 000003
【００２８】
【表３】
2004189821.tif 000004
【００２９】
表３において、液安定性および洗浄性の評価は、下記の方法で行った。
［１］液安定性評価方法
１００ｍＬガラス容器に各洗浄剤組成物を満たし、０℃および４０℃の各恒温槽に静置した。１ヶ月後および３ヶ月後の各洗浄剤組成物の状態を目視にて観察し、下記基準により液安定性を評価した。
◎：３ヶ月後に液分離なし
○：１ヶ月後に液分離なし
×：１ヶ月後に液分離あり
【００３０】
［２］対象汚垢の除去性（洗浄性）評価基準
各洗浄剤組成物を満たした１００ｍＬガラス容器に、上記対象汚垢をそれぞれ約０．５ｇ塗布したガラスプレパラートをそれぞれ１枚ずつ浸漬し、４０℃で５分間超音波（周波数３９ｋＨｚ、ワット密度０．５Ｗ／ｃｍ２）をあてながら洗浄を行った後、流水ですすぎ、温風で乾燥させた。
この際の汚れ物質の除去性を、洗浄前と洗浄後のガラスプレパラートの重量差を用い、以下の基準により評価した。
◎：対象汚垢の１００％が除去され、残留が全くない。
○：対象汚垢の８０％以上が除去されたが、わずかな残留が見られる。
△：対象汚垢の５０％以上が除去されたが、残留が見られる。
×：対象汚垢の５０％以下しか除去できていない。
【００３１】
上記表３に示されるように、本発明の水系洗浄剤組成物を用いた実施例１〜８では、各比較例の組成物よりも、液安定性および洗浄性の両性質が格段に優れていることがわかる。また、実施例１，２と実施例３〜８とを比べると、（Ｅ）成分を含有している実施例３〜８の方が、液安定性および洗浄性に優れており、（Ｅ）成分を配合した効果が発揮されていることがわかる。
【００３２】
【発明の効果】
以上述べたように、本発明によれば、レンズやプリズム等の光学部品などに付着したピッチやワックス等の洗浄に優れた効果を発揮する水系液体洗浄剤組成物を提供することができる。また、本発明の水系液体洗浄剤組成物は、ハロゲン系溶剤のように、環境や人体に悪影響を与えることもなく、さらに、ＰＲＴＲ法による規制も受けない、環境適応性に優れたものである。